(57)【要約】【課題】電動機からの動力を用いて走行する自動車に搭載されたまたは自動車への搭載用のバッテリの余寿命をより適正に診断する。【解決手段】寿命バッテリの使用状態と寿命実績（寿命バッテリの充電特性など）とを関連付けて寿命情報としてデータベース化して準備しておき、診断用バッテリの余寿命を診断する際には、データベースのうち診断用バッテリの使用状態に対応する対応領域から寿命充電電圧バラツキΔＶｍｃｌｉ取得し（Ｓ１４０）、充電シーケンスにより診断用バッテリが充電されたときの診断充電電圧バラツキΔＶｍｃｃｕを取得し（Ｓ１７０，Ｓ１８０）、取得した診断充電電圧バラツキΔＶｍｃｃｕと寿命充電電圧バラツキΔＶｍｃｌｉとの関係から診断用バッテリの余寿命距離Ｒｄや余寿命時間Ｒｔを計算する（Ｓ１９０）。【選択図】図１２
2011064571.tif 000002
【特許請求の範囲】
【請求項１】
電動機からの動力を用いて走行する自動車に搭載されたまたは該自動車への搭載用のバッテリである診断用バッテリの余寿命を診断する余寿命診断方法であって、
（ａ）情報を記憶する情報記憶手段に、寿命に到達したバッテリである寿命バッテリの使用状態と予め定められた所定の充電シーケンスにより前記寿命バッテリが充電されたときの該寿命バッテリの充電特性である寿命充電特性とを関連付けて記憶させて準備し、
（ｂ）前記診断用バッテリの使用状態と、前記所定の充電シーケンスにより前記診断用バッテリが充電されたときの該診断用バッテリの充電特性である診断充電特性と、を取得し、
（ｃ）前記取得された診断充電特性と、前記情報記憶手段に記憶されている情報のうち前記取得された診断用バッテリの使用状態に対応する前記寿命バッテリの使用状態に関連付けられた前記寿命充電特性である対応寿命充電特性と、の関係から前記診断用バッテリの余寿命を診断する、
余寿命診断方法。
【請求項２】
請求項１記載の余寿命診断方法であって、
前記診断用バッテリおよび前記寿命バッテリは、複数のモジュールにより構成されており、
前記ステップ（ａ）は、前記所定の充電シーケンスにより前記寿命バッテリが充電されたときの該寿命バッテリの各モジュールの電圧のバラツキを前記寿命充電特性として前記寿命バッテリの使用状態と関連付けて前記情報記憶手段に記憶させるステップであり、
前記ステップ（ｂ）は、前記所定の充電シーケンスにより前記診断用バッテリが充電されたときの該診断用バッテリの各モジュールの電圧のバラツキを前記診断充電特性として取得するステップである、
余寿命診断方法。
【請求項３】
請求項１記載の余寿命診断方法であって、
前記ステップ（ａ）は、前記所定の充電シーケンスにより前記寿命バッテリが充電されたときの該寿命バッテリの電圧である寿命充電電圧の挙動を前記寿命充電特性として前記寿命バッテリの使用状態と関連付けて前記情報記憶手段に記憶させると共に前記所定の充電シーケンスにより新品のバッテリである新品バッテリが充電されたときの該新品バッテリの電圧である新品充電電圧の挙動を前記新品バッテリの充電特性である新品充電特性として前記情報記憶手段に記憶させるステップであり、
前記ステップ（ｂ）は、前記所定の充電シーケンスにより前記診断用バッテリが充電されたときの該診断用バッテリの電圧である診断充電電圧の挙動を前記診断充電特性として取得するステップであり、
前記ステップ（ｃ）は、前記取得された診断充電電圧の挙動と前記情報記憶手段に記憶されている新品充電電圧の挙動とのズレである診断ズレと、前記情報記憶手段に記憶されている対応寿命充電特性としての寿命充電電圧の挙動と前記情報記憶手段に記憶されている新品充電電圧の挙動とのズレである寿命ズレと、の関係から前記診断用バッテリの余寿命を診断するステップである、
余寿命診断方法。
【請求項４】
請求項３記載の余寿命診断方法であって、
前記ステップ（ｃ）は、前記所定の充電シーケンスの所定のタイミングにおける前記診断充電電圧と前記新品充電電圧との差を前記診断ズレとすると共に前記所定のタイミングにおける前記寿命充電電圧と前記新品充電電圧との差を前記寿命ズレとして前記診断用バッテリの余寿命を診断するステップである、
余寿命診断方法。
【請求項５】
請求項３記載の余寿命診断方法であって、
前記ステップ（ｃ）は、前記所定の充電シーケンスの開始から前記診断充電電圧が所定電圧に至るまでに要する時間と前記所定の充電シーケンスの開始から前記新品充電電圧が前記所定電圧に至るまでに要する時間との差を前記診断ズレとすると共に前記所定の充電シーケンスの開始から前記寿命充電電圧が前記所定電圧に至るまでに要する時間と前記所定の充電シーケンスの開始から前記新品充電電圧が前記所定電圧に至るまでに要する時間との差を前記寿命ズレとして前記診断用バッテリの余寿命を診断するステップである、
余寿命診断方法。
【請求項６】
請求項１記載の余寿命診断方法であって、
前記ステップ（ａ）は、前記所定の充電シーケンスにより前記寿命バッテリが充電されたときの該寿命バッテリの電流と電圧との関係である寿命充電電流電圧特性を前記寿命充電特性として前記寿命バッテリの使用状態と関連付けて前記情報記憶手段に記憶させると共に前記所定の充電シーケンスにより新品のバッテリである新品バッテリが充電されたときの該新品バッテリの電流と電圧との関係である新品充電電流電圧特性を前記新品バッテリの充電特性である新品充電特性として前記情報記憶手段に記憶させるステップであり、
前記ステップ（ｂ）は、前記所定の充電シーケンスにより前記診断用バッテリが充電されたときの該診断用バッテリの電流と電圧との関係である診断充電電流電圧特性を前記寿命充電特性として取得するステップであり、
前記ステップ（ｃ）は、前記取得された診断充電電流電圧特性と前記情報記憶手段に記憶されている新品充電電流電圧特性とのズレである診断ズレと、前記情報記憶手段に記憶されている対応寿命充電特性としての寿命充電電流電圧特性と前記情報記憶手段に記憶されている新品充電電流電圧特性とのズレである寿命ズレと、の関係から前記診断用バッテリの余寿命を診断するステップである、
余寿命診断方法。
【請求項７】
請求項１ないし６のいずれか１つの請求項に記載の余寿命診断方法であって、
前記所定の充電シーケンスは、所定の高電力によるバッテリの充電を含む充電シーケンスである、
余寿命診断方法。
【請求項８】
電動機からの動力を用いて走行する自動車に搭載されたまたは該自動車への搭載用のバッテリである診断用バッテリの余寿命を診断する余寿命診断方法であって、
（ａ）情報を記憶する情報記憶手段に、寿命に到達したバッテリである寿命バッテリの使用状態と予め定められた所定の放電シーケンスにより前記寿命バッテリが放電されたときの該寿命バッテリの放電特性である寿命放電特性とを関連付けて記憶させて準備し、
（ｂ）前記診断用バッテリの使用状態と、前記所定の放電シーケンスにより前記診断用バッテリが放電されたときの該診断用バッテリの放電特性である診断放電特性と、を取得し、
（ｃ）前記取得された診断放電特性と、前記情報記憶手段に記憶されている情報のうち前記取得された診断用バッテリの使用状態に対応する前記寿命バッテリの使用状態に関連付けられた前記寿命放電特性である対応寿命放電特性と、の関係から前記診断用バッテリの余寿命を診断する、
余寿命診断方法。
【請求項９】
請求項８記載の余寿命診断方法であって、
前記診断用バッテリおよび前記寿命バッテリは、複数のモジュールにより構成されており、
前記ステップ（ａ）は、前記所定の放電シーケンスにより前記寿命バッテリが放電されたときの該寿命バッテリの各モジュールの電圧のバラツキを前記寿命放電特性として前記寿命バッテリの使用状態と関連付けて前記情報記憶手段に記憶させるステップであり、
前記ステップ（ｂ）は、前記所定の放電シーケンスにより前記診断用バッテリが放電されたときの該診断用バッテリの各モジュールの電圧のバラツキを前記診断放電特性として取得するステップである、
余寿命診断方法。
【請求項１０】
請求項８記載の余寿命診断方法であって、
前記ステップ（ａ）は、前記所定の放電シーケンスにより前記寿命バッテリが放電されたときの該寿命バッテリの電圧である寿命放電電圧の挙動を前記寿命放電特性として前記寿命バッテリの使用状態と関連付けて前記情報記憶手段に記憶させると共に前記所定の放電シーケンスにより新品のバッテリである新品バッテリが放電されたときの該新品バッテリの電圧である新品放電電圧の挙動を前記新品バッテリの放電特性である新品放電特性として前記情報記憶手段に記憶させるステップであり、
前記ステップ（ｂ）は、前記所定の放電シーケンスにより前記診断用バッテリが放電されたときの該診断用バッテリの電圧である診断放電電圧の挙動を前記診断放電特性として取得するステップであり、
前記ステップ（ｃ）は、前記取得された診断放電電圧の挙動と前記情報記憶手段に記憶されている新品放電電圧の挙動とのズレである診断ズレと、前記情報記憶手段に記憶されている対応寿命放電特性としての寿命放電電圧の挙動と前記情報記憶手段に記憶されている新品放電電圧の挙動とのズレである寿命ズレと、の関係から前記診断用バッテリの余寿命を診断するステップである、
余寿命診断方法。
【請求項１１】
請求項１０記載の余寿命診断方法であって、
前記ステップ（ｃ）は、前記所定の放電シーケンスの所定のタイミングにおける前記診断放電電圧と前記新品放電電圧との差を前記診断ズレとすると共に前記所定のタイミングにおける前記寿命放電電圧と前記新品放電電圧との差を前記寿命ズレとして前記診断用バッテリの余寿命を診断するステップである、
余寿命診断方法。
【請求項１２】
請求項１０記載の余寿命診断方法であって、
前記ステップ（ｃ）は、前記所定の放電シーケンスの開始から前記診断放電電圧が所定電圧に至るまでに要する時間と前記所定の放電シーケンスの開始から前記新品放電電圧が前記所定電圧に至るまでに要する時間との差を前記診断ズレとすると共に前記所定の放電シーケンスの開始から前記寿命放電電圧が前記所定電圧に至るまでに要する時間と前記所定の放電シーケンスの開始から前記新品放電電圧が前記所定電圧に至るまでに要する時間との差を前記寿命ズレとして前記診断用バッテリの余寿命を診断するステップである、
余寿命診断方法。
【請求項１３】
請求項８記載の余寿命診断方法であって、
前記ステップ（ａ）は、前記所定の放電シーケンスにより前記寿命バッテリが放電されたときの該寿命バッテリの電流と電圧との関係である寿命放電電流電圧特性を前記寿命放電特性として前記寿命バッテリの使用状態と関連付けて前記情報記憶手段に記憶させると共に前記所定の放電シーケンスにより新品のバッテリである新品バッテリが放電されたときの該新品バッテリの電流と電圧との関係である新品放電電流電圧特性を前記新品バッテリの放電特性である新品放電特性として前記情報記憶手段に記憶させるステップであり、
前記ステップ（ｂ）は、前記所定の放電シーケンスにより前記診断用バッテリが放電されたときの該診断用バッテリの電流と電圧との関係である診断放電電流電圧特性を前記寿命放電特性として取得するステップであり、
前記ステップ（ｃ）は、前記取得された診断放電電流電圧特性と前記情報記憶手段に記憶されている新品放電電流電圧特性とのズレである診断ズレと、前記情報記憶手段に記憶されている対応寿命放電特性としての寿命放電電流電圧特性と前記情報記憶手段に記憶されている新品放電電流電圧特性とのズレである寿命ズレと、の関係から前記診断用バッテリの余寿命を診断するステップである、
余寿命診断方法。
【請求項１４】
請求項８ないし１３のいずれか１つの請求項に記載の余寿命診断方法であって、
前記所定の放電シーケンスは、所定の高電力によるバッテリの放電を含む放電シーケンスである、
余寿命診断方法。
【請求項１５】
電動機からの動力を用いて走行する自動車に搭載されたまたは該自動車への搭載用のバッテリである診断用バッテリの余寿命を診断する余寿命診断システムであって、
寿命に到達したバッテリである寿命バッテリの使用状態と予め定められた所定の充電シーケンスにより前記寿命バッテリが充電されたときの該寿命バッテリの充電特性である寿命充電特性とを関連付けて記憶する情報記憶手段と、
前記診断用バッテリの使用状態と、前記所定の充電シーケンスにより前記診断用バッテリが充電されたときの該診断用バッテリの充電特性である診断充電特性と、を取得する情報取得手段と、
前記取得された診断充電特性と、前記情報記憶手段に記憶されている情報のうち前記取得された診断用バッテリの使用状態に対応する前記寿命バッテリの使用状態に関連付けられた前記寿命充電特性である対応寿命充電特性と、の関係から前記診断用バッテリの余寿命を診断する診断手段と、
を備える余寿命診断システム。
【請求項１６】
電動機からの動力を用いて走行する自動車に搭載されたまたは該自動車への搭載用のバッテリである診断用バッテリの余寿命を診断する余寿命診断システムであって、
寿命に到達したバッテリである寿命バッテリの使用状態と予め定められた所定の放電シーケンスにより前記寿命バッテリが放電されたときの該寿命バッテリの放電特性である寿命放電特性とを関連付けて記憶する情報記憶手段と、
前記診断用バッテリの使用状態と、前記所定の放電シーケンスにより前記診断用バッテリが放電されたときの該診断用バッテリの放電特性である診断放電特性と、を取得する情報取得手段と、
前記取得された診断放電特性と、前記情報記憶手段に記憶されている情報のうち前記取得された診断用バッテリの使用状態に対応する前記寿命バッテリの使用状態に関連付けられた前記寿命放電特性である対応寿命放電特性と、の関係から前記診断用バッテリの余寿命を診断する診断手段と、
を備える余寿命診断システム。
【発明の詳細な説明】
【技術分野】
【０００１】
本発明は、余寿命診断方法および余寿命診断システムに関し、詳しくは、電動機からの動力を用いて走行する自動車に搭載されたまたはその自動車への搭載用のバッテリである診断用バッテリの余寿命を診断する余寿命診断方法および余寿命診断システムに関する。
【背景技術】
【０００２】
従来、サービスセンターと、センターに登録した各車両と、ディーラーと、の間のデータの送受信を利用して実行される車両診断システムが提案されている（例えば、特許文献１参照）。この車両診断システムでは、各車両において、車両の消耗品の劣化度合いや消費度合いを算出するために要するデータ（整備情報データや部品の不調データ，部品故障を推定するデータ，メンテナンスデータなど）とドライバーの運転挙動とを検出してセンターに送信し、センター側において、消耗品の劣化度合いや消費度合いを求めるための関数パラメータとそれに影響を及ぼす要因割合を算出するための関数パラメータを算出して各車両に送信し、各車両において、自車の消耗品の劣化度合いや消費度合い，その要因割合を算出してディスプレイに表示している。例えば、消耗品の診断対象をバッテリとした場合には、バッテリの劣化度や、ドライバー挙動（低充電度，エンジン回転数，充電回数など）を加味した劣化要因などを表示する。
【先行技術文献】
【特許文献】
【０００３】
【特許文献１】特開２００５−２２７１４１号公報
【発明の概要】
【発明が解決しようとする課題】
【０００４】
こうしたシステムでは、車両として、走行用のモータとこのモータと電力をやりとりするバッテリとを備える電気自動車や、走行用のモータとバッテリとに加えてエンジンも備えるシリーズ型やパラレル型のハイブリッド自動車などを想定した場合には、バッテリの性能が走行に影響することがあるため、バッテリの余寿命をより適正に診断することが重要な課題の一つとされる。このため、バッテリの余寿命を診断するための手法として、上述した手法とは異なる手法の構築が望まれている。
【０００５】
本発明の余寿命診断方法および余寿命診断システムは、電動機からの動力を用いて走行する自動車に搭載されたまたは自動車への搭載用のバッテリの余寿命をより適正に診断することを主目的とする。
【課題を解決するための手段】
【０００６】
本発明の余寿命診断方法および余寿命診断システムは、上述の主目的を達成するために以下の手段を採った。
【０００７】
本発明の第１の余寿命診断方法は、
電動機からの動力を用いて走行する自動車に搭載されたまたは該自動車への搭載用のバッテリである診断用バッテリの余寿命を診断する余寿命診断方法であって、
（ａ）情報を記憶する情報記憶手段に、寿命に到達したバッテリである寿命バッテリの使用状態と予め定められた所定の充電シーケンスにより前記寿命バッテリが充電されたときの該寿命バッテリの充電特性である寿命充電特性とを関連付けて記憶させて準備し、
（ｂ）前記診断用バッテリの使用状態と、前記所定の充電シーケンスにより前記診断用バッテリが充電されたときの該診断用バッテリの充電特性である診断充電特性と、を取得し、
（ｃ）前記取得された診断充電特性と、前記情報記憶手段に記憶されている情報のうち前記取得された診断用バッテリの使用状態に対応する前記寿命バッテリの使用状態に関連付けられた前記寿命充電特性である対応寿命充電特性と、の関係から前記診断用バッテリの余寿命を診断する、
ことを要旨とする。
【０００８】
この本発明の第１の余寿命診断方法では、情報を記憶する情報記憶手段に、寿命に到達したバッテリである寿命バッテリの使用状態と予め定められた所定の充電シーケンスにより寿命バッテリが充電されたときの寿命バッテリの充電特性である寿命充電特性とを関連付けて記憶させて準備しておき、診断用バッテリの使用状態と所定の充電シーケンスにより診断用バッテリが充電されたときの診断用バッテリの充電特性である診断充電特性とを取得し、取得した診断充電特性と情報記憶手段に記憶されている情報のうち診断用バッテリの使用状態に対応する寿命バッテリの使用状態に関連付けられた寿命充電特性である対応寿命充電特性と、の関係から診断用バッテリの余寿命を診断する。一般に、バッテリの充電特性は、バッテリの経年変化などに依存するため、診断充電特性と対応寿命充電特性とを比較することにより、診断用バッテリの余寿命をより適正に診断することができる。
【０００９】
こうした本発明の第１の余寿命診断方法において、前記診断用バッテリおよび前記寿命バッテリは、複数のモジュールにより構成されており、前記ステップ（ａ）は、前記所定の充電シーケンスにより前記寿命バッテリが充電されたときの該寿命バッテリの各モジュールの電圧のバラツキを前記寿命充電特性として前記寿命バッテリの使用状態と関連付けて前記情報記憶手段に記憶させるステップであり、前記ステップ（ｂ）は、前記所定の充電シーケンスにより前記診断用バッテリが充電されたときの該診断用バッテリの各モジュールの電圧のバラツキを前記診断充電特性として取得するステップである、ものとすることもできる。
【００１０】
また、本発明の第１の余寿命診断方法において、前記ステップ（ａ）は、前記所定の充電シーケンスにより前記寿命バッテリが充電されたときの該寿命バッテリの電圧である寿命充電電圧の挙動を前記寿命充電特性として前記寿命バッテリの使用状態と関連付けて前記情報記憶手段に記憶させると共に前記所定の充電シーケンスにより新品のバッテリである新品バッテリが充電されたときの該新品バッテリの電圧である新品充電電圧の挙動を前記新品バッテリの充電特性である新品充電特性として前記情報記憶手段に記憶させるステップであり、前記ステップ（ｂ）は、前記所定の充電シーケンスにより前記診断用バッテリが充電されたときの該診断用バッテリの電圧である診断充電電圧の挙動を前記診断充電特性として取得するステップであり、前記ステップ（ｃ）は、前記取得された診断充電電圧の挙動と前記情報記憶手段に記憶されている新品充電電圧の挙動とのズレである診断ズレと、前記情報記憶手段に記憶されている対応寿命充電特性としての寿命充電電圧の挙動と前記情報記憶手段に記憶されている新品充電電圧の挙動とのズレである寿命ズレと、の関係から前記診断用バッテリの余寿命を診断するステップである、ものとすることもできる。この態様の本発明の第１の余寿命診断方法において、前記ステップ（ｃ）は、前記所定の充電シーケンスの所定のタイミングにおける前記診断充電電圧と前記新品充電電圧との差を前記診断ズレとすると共に前記所定のタイミングにおける前記寿命充電電圧と前記新品充電電圧との差を前記寿命ズレとして前記診断用バッテリの余寿命を診断するステップである、ものとすることもできるし、前記所定の充電シーケンスの開始から前記診断充電電圧が所定電圧に至るまでに要する時間と前記所定の充電シーケンスの開始から前記新品充電電圧が前記所定電圧に至るまでに要する時間との差を前記診断ズレとすると共に前記所定の充電シーケンスの開始から前記寿命充電電圧が前記所定電圧に至るまでに要する時間と前記所定の充電シーケンスの開始から前記新品充電電圧が前記所定電圧に至るまでに要する時間との差を前記寿命ズレとして前記診断用バッテリの余寿命を診断するステップである、ものとすることもできる。
【００１１】
さらに、本発明の第１の余寿命診断方法において、前記ステップ（ａ）は、前記所定の充電シーケンスにより前記寿命バッテリが充電されたときの該寿命バッテリの電流と電圧との関係である寿命充電電流電圧特性を前記寿命充電特性として前記寿命バッテリの使用状態と関連付けて前記情報記憶手段に記憶させると共に前記所定の充電シーケンスにより新品のバッテリである新品バッテリが充電されたときの該新品バッテリの電流と電圧との関係である新品充電電流電圧特性を前記新品バッテリの充電特性である新品充電特性として前記情報記憶手段に記憶させるステップであり、前記ステップ（ｂ）は、前記所定の充電シーケンスにより前記診断用バッテリが充電されたときの該診断用バッテリの電流と電圧との関係である診断充電電流電圧特性を前記寿命充電特性として取得するステップであり、前記ステップ（ｃ）は、前記取得された診断充電電流電圧特性と前記情報記憶手段に記憶されている新品充電電流電圧特性とのズレである診断ズレと、前記情報記憶手段に記憶されている対応寿命充電特性としての寿命充電電流電圧特性と前記情報記憶手段に記憶されている新品充電電流電圧特性とのズレである寿命ズレと、の関係から前記診断用バッテリの余寿命を診断するステップである、ものとすることもできる。
【００１２】
あるいは、本発明の第１の余寿命診断方法において、前記所定の充電シーケンスは、所定の高電力によるバッテリの充電を含む充電シーケンスである、ものとすることもできる。こうすれば、診断用バッテリの余寿命の診断を比較的迅速に行なうことができる。
【００１３】
本発明の第２の余寿命診断方法は、
電動機からの動力を用いて走行する自動車に搭載されたまたは該自動車への搭載用のバッテリである診断用バッテリの余寿命を診断する余寿命診断方法であって、
（ａ）情報を記憶する情報記憶手段に、寿命に到達したバッテリである寿命バッテリの使用状態と予め定められた所定の放電シーケンスにより前記寿命バッテリが放電されたときの該寿命バッテリの放電特性である寿命放電特性とを関連付けて記憶させて準備し、
（ｂ）前記診断用バッテリの使用状態と、前記所定の放電シーケンスにより前記診断用バッテリが放電されたときの該診断用バッテリの放電特性である診断放電特性と、を取得し、
（ｃ）前記取得された診断放電特性と、前記情報記憶手段に記憶されている情報のうち前記取得された診断用バッテリの使用状態に対応する前記寿命バッテリの使用状態に関連付けられた前記寿命放電特性である対応寿命放電特性と、の関係から前記診断用バッテリの余寿命を診断する、
ことを要旨とする。
【００１４】
この本発明の第２の余寿命診断方法では、情報を記憶する情報記憶手段に、寿命に到達したバッテリである寿命バッテリの使用状態と予め定められた所定の放電シーケンスにより寿命バッテリが放電されたときの寿命バッテリの放電特性である寿命放電特性とを関連付けて記憶させて準備しておき、診断用バッテリの使用状態と、所定の放電シーケンスにより診断用バッテリが放電されたときの診断用バッテリの放電特性である診断放電特性と、を取得し、取得した診断放電特性と情報記憶手段に記憶されている情報のうち診断用バッテリの使用状態に対応する寿命バッテリの使用状態に関連付けられた寿命放電特性である対応寿命放電特性との関係から診断用バッテリの余寿命を診断する。一般に、バッテリの放電特性は、バッテリの経年変化などに依存するため、診断放電特性と対応寿命放電特性とを比較することにより、診断用バッテリの余寿命をより適正に診断することができる。
【００１５】
こうした本発明の第２の余寿命診断方法において、前記診断用バッテリおよび前記寿命バッテリは、複数のモジュールにより構成されており、前記ステップ（ａ）は、前記所定の放電シーケンスにより前記寿命バッテリが放電されたときの該寿命バッテリの各モジュールの電圧のバラツキを前記寿命放電特性として前記寿命バッテリの使用状態と関連付けて前記情報記憶手段に記憶させるステップであり、前記ステップ（ｂ）は、前記所定の放電シーケンスにより前記診断用バッテリが放電されたときの該診断用バッテリの各モジュールの電圧のバラツキを前記診断放電特性として取得するステップである、ものとすることもできる。
【００１６】
また、本発明の第２の余寿命診断方法において、前記ステップ（ａ）は、前記所定の放電シーケンスにより前記寿命バッテリが放電されたときの該寿命バッテリの電圧である寿命放電電圧の挙動を前記寿命放電特性として前記寿命バッテリの使用状態と関連付けて前記情報記憶手段に記憶させると共に前記所定の放電シーケンスにより新品のバッテリである新品バッテリが放電されたときの該新品バッテリの電圧である新品放電電圧の挙動を前記新品バッテリの放電特性である新品放電特性として前記情報記憶手段に記憶させるステップであり、前記ステップ（ｂ）は、前記所定の放電シーケンスにより前記診断用バッテリが放電されたときの該診断用バッテリの電圧である診断放電電圧の挙動を前記診断放電特性として取得するステップであり、前記ステップ（ｃ）は、前記取得された診断放電電圧の挙動と前記情報記憶手段に記憶されている新品放電電圧の挙動とのズレである診断ズレと、前記情報記憶手段に記憶されている対応寿命放電特性としての寿命放電電圧の挙動と前記情報記憶手段に記憶されている新品放電電圧の挙動とのズレである寿命ズレと、の関係から前記診断用バッテリの余寿命を診断するステップである、ものとすることもできる。この態様の本発明の第２の余寿命診断方法において、前記ステップ（ｃ）は、前記所定の放電シーケンスの所定のタイミングにおける前記診断放電電圧と前記新品放電電圧との差を前記診断ズレとすると共に前記所定のタイミングにおける前記寿命放電電圧と前記新品放電電圧との差を前記寿命ズレとして前記診断用バッテリの余寿命を診断するステップである、ものとすることもできるし、前記所定の放電シーケンスの開始から前記診断放電電圧が所定電圧に至るまでに要する時間と前記所定の放電シーケンスの開始から前記新品放電電圧が前記所定電圧に至るまでに要する時間との差を前記診断ズレとすると共に前記所定の放電シーケンスの開始から前記寿命放電電圧が前記所定電圧に至るまでに要する時間と前記所定の放電シーケンスの開始から前記新品放電電圧が前記所定電圧に至るまでに要する時間との差を前記寿命ズレとして前記診断用バッテリの余寿命を診断するステップである、ものとすることもできる。
【００１７】
さらに、本発明の第２の余寿命診断方法において、前記ステップ（ａ）は、前記所定の放電シーケンスにより前記寿命バッテリが放電されたときの該寿命バッテリの電流と電圧との関係である寿命放電電流電圧特性を前記寿命放電特性として前記寿命バッテリの使用状態と関連付けて前記情報記憶手段に記憶させると共に前記所定の放電シーケンスにより新品のバッテリである新品バッテリが放電されたときの該新品バッテリの電流と電圧との関係である新品放電電流電圧特性を前記新品バッテリの放電特性である新品放電特性として前記情報記憶手段に記憶させるステップであり、前記ステップ（ｂ）は、前記所定の放電シーケンスにより前記診断用バッテリが放電されたときの該診断用バッテリの電流と電圧との関係である診断放電電流電圧特性を前記寿命放電特性として取得するステップであり、前記ステップ（ｃ）は、前記取得された診断放電電流電圧特性と前記情報記憶手段に記憶されている新品放電電流電圧特性とのズレである診断ズレと、前記情報記憶手段に記憶されている対応寿命放電特性としての寿命放電電流電圧特性と前記情報記憶手段に記憶されている新品放電電流電圧特性とのズレである寿命ズレと、の関係から前記診断用バッテリの余寿命を診断するステップである、ものとすることもできる。
【００１８】
あるいは、本発明の第２の余寿命診断方法において、前記所定の放電シーケンスは、所定の高電力によるバッテリの放電を含む放電シーケンスである、ものとすることもできる。こうすれば、診断用バッテリの余寿命の診断を比較的迅速に行なうことができる。
【００１９】
本発明の第１の余寿命診断システムは、
電動機からの動力を用いて走行する自動車に搭載されたまたは該自動車への搭載用のバッテリである診断用バッテリの余寿命を診断する余寿命診断システムであって、
寿命に到達したバッテリである寿命バッテリの使用状態と予め定められた所定の充電シーケンスにより前記寿命バッテリが充電されたときの該寿命バッテリの充電特性である寿命充電特性とを関連付けて記憶する情報記憶手段と、
前記診断用バッテリの使用状態と、前記所定の充電シーケンスにより前記診断用バッテリが充電されたときの該診断用バッテリの充電特性である診断充電特性と、を取得する情報取得手段と、
前記取得された診断充電特性と、前記情報記憶手段に記憶されている情報のうち前記取得された診断用バッテリの使用状態に対応する前記寿命バッテリの使用状態に関連付けられた前記寿命充電特性である対応寿命充電特性と、の関係から前記診断用バッテリの余寿命を診断する診断手段と、
を備えることを要旨とする。
【００２０】
この本発明の第１の余寿命診断システムでは、寿命に到達したバッテリである寿命バッテリの使用状態と予め定められた所定の充電シーケンスにより寿命バッテリが充電されたときの寿命バッテリの充電特性である寿命充電特性とを関連付けて情報記憶手段に記憶させて準備しておき、診断用バッテリの使用状態と所定の充電シーケンスにより診断用バッテリが充電されたときの診断用バッテリの充電特性である診断充電特性とを取得し、取得した診断充電特性と情報記憶手段に記憶されている情報のうち診断用バッテリの使用状態に対応する寿命バッテリの使用状態に関連付けられた寿命充電特性である対応寿命充電特性と、の関係から診断用バッテリの余寿命を診断する。一般に、バッテリの充電特性は、バッテリの経年変化などに依存するため、診断充電特性と対応寿命充電特性とを比較することにより、診断用バッテリの余寿命をより適正に診断することができる。
【００２１】
本発明の第２の余寿命診断システムは、
電動機からの動力を用いて走行する自動車に搭載されたまたは該自動車への搭載用のバッテリである診断用バッテリの余寿命を診断する余寿命診断システムであって、
寿命に到達したバッテリである寿命バッテリの使用状態と予め定められた所定の放電シーケンスにより前記寿命バッテリが放電されたときの該寿命バッテリの放電特性である寿命放電特性とを関連付けて記憶する情報記憶手段と、
前記診断用バッテリの使用状態と、前記所定の放電シーケンスにより前記診断用バッテリが放電されたときの該診断用バッテリの放電特性である診断放電特性と、を取得する情報取得手段と、
前記取得された診断放電特性と、前記情報記憶手段に記憶されている情報のうち前記取得された診断用バッテリの使用状態に対応する前記寿命バッテリの使用状態に関連付けられた前記寿命放電特性である対応寿命放電特性と、の関係から前記診断用バッテリの余寿命を診断する診断手段と、
を備えることを要旨とする。
【００２２】
この本発明の第２の余寿命診断システムでは、寿命に到達したバッテリである寿命バッテリの使用状態と予め定められた所定の放電シーケンスにより寿命バッテリが放電されたときの寿命バッテリの放電特性である寿命放電特性とを関連付けて情報記憶手段に記憶させて準備しておき、診断用バッテリの使用状態と、所定の放電シーケンスにより診断用バッテリが放電されたときの診断用バッテリの放電特性である診断放電特性と、を取得し、取得した診断放電特性と情報記憶手段に記憶されている情報のうち診断用バッテリの使用状態に対応する寿命バッテリの使用状態に関連付けられた寿命放電特性である対応寿命放電特性との関係から診断用バッテリの余寿命を診断する。一般に、バッテリの放電特性は、バッテリの経年変化などに依存するため、診断放電特性と対応寿命放電特性とを比較することにより、診断用バッテリの余寿命をより適正に診断することができる。
【図面の簡単な説明】
【００２３】
【図１】自動車１０に搭載されたバッテリとしてのバッテリ１２の余寿命を診断する余寿命診断システム２０の構成の概略を示す構成図である。
【図２】バッテリ１２の構成の概略を示す構成図である。
【図３】寿命情報や新品情報を含むデータベースの一例を示す説明図である。
【図４】寿命充電電圧バラツキΔＶｍｃｌｉおよび新品充電電圧バラツキΔＶｍｃｎｅｗの一例を示す説明図である。
【図５】第２寿命充電電圧Ｖｂｃｌｉ２および第２新品充電電圧Ｖｂｃｎｅｗ２の挙動の一例を示す説明図である。
【図６】第３寿命充電電圧Ｖｂｃｌｉ３および第３新品充電電圧Ｖｂｃｎｅｗ３の挙動の一例を示す説明図である。
【図７】寿命充電電流電圧特性ＩＶｃｌｉおよび新品充電電流電圧特性ＩＶｃｎｅｗの一例を示す説明図である。
【図８】寿命放電電圧バラツキΔＶｍｄｌｉおよび新品放電電圧バラツキΔＶｍｄｎｅｗの一例を示す説明図である。
【図９】第２寿命放電電圧Ｖｂｄｌｉ２および第２新品放電電圧Ｖｂｄｎｅｗ２の挙動の一例を図９に示し、示す説明図である。
【図１０】第３寿命放電電圧Ｖｂｄｌｉ３および第３新品放電電圧Ｖｂｄｎｅｗ３の挙動の一例を示す説明図である。
【図１１】寿命放電電流電圧特性ＩＶｃｌｉおよび新品放電電流電圧特性の一例を示す説明図である。
【図１２】端末３０により実行される余寿命診断ルーチンの一例を示すフローチャートである。
【図１３】サーバ５０により実行されるデータ検索ルーチンの一例を示すフローチャートである。
【図１４】診断充電電圧バラツキΔＶｍｃｃｕの一例を示す説明図である。
【図１５】第２新品充電電圧Ｖｂｃｎｅｗ２の挙動と第２診断充電電圧Ｖｂｃｃｕ２の挙動と第２寿命充電電圧Ｖｂｃｌｉ２の挙動との一例を示す説明図である。
【図１６】第３新品充電電圧Ｖｂｃｎｅｗ３の挙動と第３診断充電電圧Ｖｂｃｃｕ３の挙動と第３寿命充電電圧Ｖｂｃｌｉ３の挙動との一例を示す説明図である。
【図１７】新品充電電流電圧特性ＩＶｃｎｅｗと診断充電電流電圧特性ＩＶｃｃｕと寿命充電電流電圧特性ＩＶｃｌｉとの一例を示す説明図である。
【図１８】診断充電電圧バラツキΔＶｍｄｃｕと寿命放電電圧バラツキΔＶｍｄｌｉとの一例を示す説明図である。
【図１９】第２新品放電電圧Ｖｂｄｎｅｗ２の挙動と第２診断放電電圧Ｖｂｄｃｕ２の挙動と第２寿命放電電圧Ｖｂｄｌｉ２の挙動との一例を示す説明図である。
【図２０】第３新品放電電圧Ｖｂｄｎｅｗ３の挙動と第３診断放電電圧Ｖｂｄｃｕ３の挙動と第３寿命放電電圧Ｖｂｄｌｉ３の挙動との一例を示す説明図である。
【図２１】新品放電電流電圧特性ＩＶｄｎｅｗと診断放電電流電圧特性ＩＶｄｃｕと寿命放電電流電圧特性ＩＶｄｌｉとの一例を示す説明図である。
【図２２】自動車１１０と余寿命診断システム１２０との構成の概略を示す構成図の一例を示す構成図である。
【発明を実施するための形態】
【００２４】
次に、本発明を実施するための形態を実施例を用いて説明する。
【実施例】
【００２５】
図１は、本発明の実施例として、自動車１０に搭載されたバッテリ１２の余寿命を診断する余寿命診断システム２０の構成の概略を示す構成図であり、図２は、バッテリ１２の構成の概略を示す構成図である。以下、まず、自動車１０について説明し、その後、余寿命診断システム２０について説明する。
【００２６】
自動車１０は、図１に例示するように、例えば同期発電電動機として構成されたモータ１１からの動力を用いて走行する電気自動車やモータ１１の他に図示しないエンジンも備えるハイブリッド自動車として構成されており、モータ１１と電力をやりとりするバッテリ１２や、バッテリ１２と車外の電力機器とを接続するための車両側コネクタ１４，バッテリ１２の管理やモータ１１の制御など車両全体をコントロールする電子制御ユニット１６などを備える。バッテリ１２は、図２に例示するように、ニッケル水素二次電池やリチウムイオン二次電池として構成された複数のセルを直列接続してなるｋ（ｋは２以上の整数）個の電池モジュールＭ１〜Ｍｋが直列に接続されたものとして構成されている。以下、説明の都合上、バッテリ１２を診断用バッテリ１２という。また、診断用バッテリ１２や後述の寿命バッテリ，新品バッテリをまとめて単にバッテリということがある。電子制御ユニット１６には、図２に例示するように、診断用バッテリ１２の端子間に取り付けられた電圧センサ１３ａからの電圧Ｖｂや、診断用バッテリ１２の各電池モジュールＭ１〜Ｍｋの端子間にそれぞれ取り付けられた電圧センサＳ１〜Ｓｋからのモジュール電圧Ｖｍ１〜Ｖｍｋ，診断用バッテリ１２の正極端子に取り付けられた電流センサ１３ｂからのバッテリ電流Ｉｂなどが入力されており、入力された電圧Ｖｂやモジュール電圧Ｖｍ１〜Ｖｍｋ，電流Ｉｂ，診断用バッテリ１２の使用地域や使用用途，走行履歴などを含む診断用バッテリ１２の使用状態などが記憶されている。ここで、使用地域としては、例えば、寒冷地域，熱帯地域，多湿地域，常温地域などがあり、使用用途としては、例えば、通勤，買い物，旅行などの各用途の使用比率などがあり、走行履歴としては、システム起動からシステム停止までの１トリップの走行距離の平均や、システム停止の継続時間の平均などがある。なお、使用地域は、例えば、図示しないカーナビゲーションシステムなどにより取得するものとしたり、外気温度や湿度，地形などの環境に基づいて判定して取得するものとしたりすることができる。また、使用用途は、例えば、自動車１１の走行時刻の履歴や１トリップの走行時間の履歴などから判定して取得するものとすることができる。
【００２７】
余寿命診断システム２０は、販売店や家庭などの任意の場所に設置されて自動車１０の電子制御ユニット１６と通信可能な端末３０と、販売店や家庭などの任意の場所に設置されて車両側コネクタ１４と装置側コネクタ４２とが接続された状態で診断用バッテリ１２を充放電させるために用いられ且つ端末３０や電子制御ユニット１６と通信可能な充放電装置４０と、インターネットなどのネットワーク２２を介して端末３０と通信可能なサーバ５０と、を備える。
【００２８】
端末３０は、ＣＰＵ３１やＲＯＭ３２，ＲＡＭ３３，ハードディスクドライブ３４などを有する汎用のコンピュータとして構成されており、ディスプレイ３５や、入力装置としてのキーボード３６やマウス３７なども備える。
【００２９】
サーバ５０は、ＣＰＵ５１やＲＡＭ５２，ＲＯＭ５３，ハードディスクドライブ５４などを有する汎用のコンピュータとして構成されている。ハードディスクドライブ５４には、寿命に到達したバッテリである寿命バッテリの使用状態と、寿命バッテリの充電特性や放電特性と、寿命バッテリの搭載車の走行距離である寿命距離Ｒｄｍａｘや寿命バッテリの使用期間である寿命時間Ｒｔｍａｘと、が関連付けられて寿命情報としてデータベース化されて記憶されていると共に、新品のバッテリである新品バッテリの充電特性や放電特性が新品情報としてデータベース化されて記憶されている。以下、寿命バッテリの充電特性や放電特性，寿命距離Ｒｄｍａｘや寿命時間Ｒｔｍａｘをまとめて寿命実績という。寿命情報や新品情報を含むデータベースの一例を図３に示す。図３の例では、搭載車種によってバッテリの仕様が異なることを考慮して、寿命バッテリの搭載車種と使用状態と寿命実績とを関連付けて寿命情報としてデータベース化すると共に新品バッテリの搭載車種と充電特性や放電特性とを関連付けて新品情報としてデータベース化するものとした。以下、寿命バッテリや新品バッテリの充電特性や放電特性について説明する。
【００３０】
寿命バッテリの充電特性として、実施例では、短時間の高電力（例えば、バッテリを充電してもよい最大許容電力やそれよりも若干低い電力など）によるバッテリの充電（以下、高速充電という）である短時間高速充電を複数回に亘って行なう第１充電シーケンスにより第１所定状態のバッテリを充電する第１充電シーケンス処理を寿命バッテリに対して行なったときの寿命バッテリの各電池モジュールのモジュール電圧の最大値と最小値との差（以下、寿命充電電圧バラツキという）ΔＶｍｃｌｉや、短時間高速充電を複数回に亘って行なう第２充電シーケンスにより第２所定状態のバッテリを充電する第２充電シーケンス処理を寿命バッテリに対して行なったときの寿命バッテリの電圧（以下、第２寿命充電電圧という）Ｖｂｃｌｉ２の挙動，短時間高速充電より長い時間の高速充電を行なう第３充電シーケンスにより第３所定状態のバッテリを充電する第３充電シーケンス処理を寿命バッテリに対して行なったときの寿命バッテリの電圧（以下、第３寿命充電電圧という）Ｖｂｃｌｉ３の挙動，各々に電流値が異なるパルス電流によるバッテリの充電を複数回に亘って行なう第４充電シーケンスにより第４所定状態のバッテリを充電する第４シーケンス処理を寿命バッテリに対して行なったときの寿命バッテリの電流と電圧との関係（以下、寿命充電電流電圧特性という）ＩＶｃｌｉを用いるものとした。ここで、第１〜第４所定状態は、例えば、バッテリの電圧が所定電圧である状態や、バッテリの各電池モジュールのモジュール電圧のうち最小のものが所定電圧である状態，バッテリの残容量が所定残容量である状態などである。この第１〜第４所定状態は、同一の状態であるものとしてもよいし、異なる状態であるものとしてもよい。
【００３１】
また、新品バッテリの充電特性として、実施例では、第１充電シーケンス処理を新品バッテリに対して行なったときの新品バッテリの各電池モジュールのモジュール電圧の最大値と最小値との差（以下、新品充電電圧バラツキという）ΔＶｍｃｎｅｗや、第２充電シーケンス処理を新品バッテリに対して行なったときの新品バッテリの電圧（以下、第２新品充電電圧という）Ｖｂｃｎｅｗ２の挙動，第３充電シーケンス処理を新品バッテリｉに対して行なったときの新品バッテリの電圧（以下、第３新品充電電圧という）Ｖｂｃｎｅｗ３の挙動，第４シーケンス処理を新品バッテリに対して行なったときの新品バッテリの電流と電圧との関係（以下、新品充電電流電圧特性という）ＩＶｃｎｅｗを用いるものとした。寿命充電電圧バラツキΔＶｍｃｌｉおよび新品充電電圧バラツキΔＶｍｃｎｅｗの一例を図４に示し、第２寿命充電電圧Ｖｂｃｌｉ２および第２新品充電電圧Ｖｂｃｎｅｗ２の挙動の一例を図５に示し、第３寿命充電電圧Ｖｂｃｌｉ３および第３新品充電電圧Ｖｂｃｎｅｗ３の挙動の一例を図６に示し、寿命充電電流電圧特性ＩＶｃｌｉおよび新品充電電流電圧特性Ｉｖｃｎｅｗの一例を図７に示す。図４〜図７では、搭載車種が同一である即ち仕様が同一である寿命バッテリや新品バッテリの充電特性を示した。図４の例では、新品充電電圧バラツキΔＶｍｃｎｅｗは、各セルや各電池モジュールの製造誤差などによるものであると考えられ、寿命充電電圧バラツキΔＶｍｃｌｉは、各セルや各電池モジュールの製造誤差に使用による経年変化などが加味されたものであると考えられる。また、図５〜図７の例では、新品バッテリの充電特性と寿命バッテリの充電特性とのズレは、各セルや各電池モジュールの経年変化を含むバッテリ全体としての経年変化などによるものであると考えられる。
【００３２】
寿命バッテリの放電特性として、実施例では、短時間の高電力（例えば、バッテリを放電してもよい最大許容電力やそれよりも若干低い電力など）によるバッテリの放電（以下、高速放電という）である短時間高速放電を複数回に亘って行なう第１放電シーケンスにより第５所定状態のバッテリを放電する第１放電シーケンス処理を寿命バッテリに対して行なったときの寿命バッテリの各電池モジュールのモジュール電圧の最大値と最小値との差（以下、寿命放電電圧バラツキという）ΔＶｍｄｌｉや、短時間高速放電を複数回に亘って行なう第２放電シーケンスにより第６所定状態のバッテリを放電する第２放電シーケンス処理を寿命バッテリに対して行なったときの寿命バッテリの電圧（以下、第２寿命放電電圧という）Ｖｂｄｌｉ２の挙動，短時間高速放電より長い時間の高速放電を行なう第３放電シーケンスにより第７所定状態のバッテリを放電する第３放電シーケンス処理を寿命バッテリに対して行なったときの寿命バッテリの電圧（以下、第３寿命放電電圧という）Ｖｂｄｌｉ３の挙動，各々に電流値が異なるパルス電流によるバッテリの放電を複数回に亘って行なう第４放電シーケンスにより第８所定状態のバッテリを放電する第４シーケンス処理を寿命バッテリに対して行なったときの寿命バッテリの電流と電圧との関係（以下、寿命放電電流電圧特性という）ＩＶｄｌｉを用いるものとした。ここで、第５〜第８所定状態は、前述の第１〜第４所定状態のいずれかと同一の状態であるものとしてもよいし、異なる状態であるものとしてもよい。
【００３３】
また、新品バッテリの放電特性として、実施例では、第１放電シーケンス処理を新品バッテリに対して行なったときの新品バッテリの各電池モジュールのモジュール電圧の最大値と最小値との差（以下、新品放電電圧バラツキという）ΔＶｍｄｎｅｗや、第２放電シーケンス処理を新品バッテリに対して行なったときの新品バッテリの電圧（以下、第２新品放電電圧という）Ｖｂｄｎｅｗ２の挙動，第３放電シーケンス処理を新品バッテリｉに対して行なったときの新品バッテリの電圧（以下、第３新品放電電圧という）Ｖｂｄｎｅｗ３の挙動，第４シーケンス処理を新品バッテリに対して行なったときの新品バッテリの電流と電圧との関係（以下、新品放電電流電圧特性という）ＩＶｄｎｅｗを用いるものとした。寿命放電電圧バラツキΔＶｍｄｌｉおよび新品放電電圧バラツキΔＶｍｄｎｅｗの一例を図８に示し、第２寿命放電電圧Ｖｂｄｌｉ２および第２新品放電電圧Ｖｂｄｎｅｗ２の挙動の一例を図９に示し、第３寿命放電電圧Ｖｂｄｌｉ３および第３新品放電電圧Ｖｂｄｎｅｗ３の挙動の一例を図１０に示し、寿命放電電流電圧特性ＩＶｄｌｉおよび新品放電電流電圧特性の一例を図１１に示す。図８〜図１１では、搭載車種が同一である即ち仕様が同一である寿命バッテリや新品バッテリの放電特性を示した。図８の例では、新品放電電圧バラツキΔＶｍｄｎｅｗは、各セルや各電池モジュールの製造誤差などによるものであると考えられ、寿命放電電圧バラツキΔＶｍｄｌｉは、各セルや各電池モジュールの製造誤差に使用による経年変化などが加味されたものであると考えられる。また、図９〜図１１の例では、新品バッテリの放電特性と寿命バッテリの放電特性とのズレは、各セルや各電池モジュールの経年変化を含むバッテリ全体としての経年変化などによるものであると考えられる。
【００３４】
次に、こうして構成された実施例の余寿命診断システム２０の動作について説明する。図１２は、端末３０や充放電装置４０が設置された場所（販売店など）に自動車１０が持ち込まれて車両側コネクタ１４と装置側コネクタ４２とが接続された状態で診断用バッテリ１２の余寿命を診断する際に端末３０により実行される余寿命診断ルーチンの一例を示すフローチャートである。なお、実施例では、ユーザによる選択または端末３０による任意の選択によって第１充電シーケンス処理を用いて診断用バッテリ１２の余寿命を診断する場合について説明する。
【００３５】
余寿命診断ルーチンが実行されると、端末３０のＣＰＵ３１は、自動車１０の車種や診断用バッテリ１２の使用状態（使用地域や使用用途，走行履歴など）など診断用バッテリ１２に関する情報（以下、診断用バッテリ情報という）を自動車１０の電子制御ユニット１６に要求し（ステップＳ１００）、電子制御ユニット１６から診断用バッテリ情報を受信すると（ステップＳ１１０）、受診した診断用バッテリ情報をサーバ５０に送信する（ステップＳ１２０）。診断用バッテリ情報を受信したサーバ５０のＣＰＵ５１は、図１３のデータ検索ルーチンに例示するように、ハードディスクドライブ５４に記憶されているデータベースから診断用バッテリ情報に対応する寿命バッテリの搭載車種と使用状態とに関連付けられた領域（以下、対応領域という）を検索し（ステップＳ３００）、検索した対応領域に寿命実績（実施例では、充電特性としての寿命充電電圧バラツキΔＶｍｃｌｉ，寿命距離Ｒｄｍａｘ，寿命時間Ｒｔｍａｘ）があるときには寿命実績と新品バッテリの充電特性（実施例では、新品充電電圧バラツキΔＶｍｃｎｅｗ）とを端末３０を送信し（ステップＳ３１０，Ｓ３２０）、検索した対応領域に寿命実績がないときにはその旨を示す情報である空情報を端末３０に送信する（ステップＳ３１０，Ｓ３３０）。
【００３６】
端末３０のＣＰＵ３１は、サーバ５０からデータを受信すると（ステップＳ１３０）、そのデータが寿命実績であるか空情報であるかを判定し（ステップＳ１４０）、受信したデータが空情報であるときには、診断用バッテリ１２の余寿命を計算できない旨（以下、余寿命計算不可情報という）をディスプレイ３５に出力して（ステップＳ２００）、本ルーチンを終了する。
【００３７】
一方、受信したデータが寿命実績であるときには、診断用バッテリ１２の状態を第１所定状態にする準備処理を行なわせるための指示を充放電装置４０と電子制御ユニット１６とに送信する（ステップＳ１５０）。この指示を受信した充放電装置４０と電子制御ユニット１６とは、互いに通信を行ないながら診断用バッテリ１２の状態が第１所定状態になるよう準備処理を行ない、準備処理が完了したときに準備処理完了信号を端末３０に送信する。なお、準備処理を行なうのは、寿命充電電圧バラツキΔＶｍｃｌｉと後述の診断充電電圧バラツキΔＶｍｃｃｕとの取得条件を揃えるためである。
【００３８】
端末３０のＣＰＵ３１は、準備処理完了信号を受信すると（ステップＳ１６０）、第１充電シーケンス処理を診断用バッテリ１２に対して行なわせるための指示を充放電装置４０に送信すると共に第１充電シーケンス処理の実行時の診断用バッテリ１２のモジュール電圧Ｖｍ１〜Ｖｍｋの最大値と最小値との差としての診断充電電圧バラツキΔＶｍｃｃｕを取得させるための指示を電子制御ユニット１６に送信する（ステップＳ１７０）。指示を受信した充放電装置４０は、第１充電シーケンス処理を実行する。また、指示を受信した電子制御ユニット１６は、第１充電シーケンスの実行中に電圧センサＳ１〜Ｓｋにより検出される診断用バッテリ１２のモジュール電圧Ｖｍ１〜Ｖｍｋを用いて診断充電電圧バラツキΔＶｍｃｃｕを求めて端末３０に送信する。診断充電電圧バラツキΔＶｍｃｃｕの一例を図１４に示す。図１４では、参考のために、サーバ５０から受信した新品充電電圧バラツキΔＶｍｃｎｅｗや寿命充電電圧バラツキΔＶｍｃｌｉについても図示した。なお、新品充電電圧バラツキΔＶｍｃｎｅｗは、各セルや各電池モジュールの製造誤差によるものであると考えられ、診断充電電圧バラツキΔＶｍｃｃｕや寿命充電電圧バラツキΔＶｍｃｌｉは、各セルや各電池モジュールの製造誤差に使用による経年変化が加味されたものであると考えられる。
【００３９】
そして、端末３０のＣＰＵ３１は、電子制御ユニット１６から診断充電電圧バラツキΔＶｍｃｃｕを受信すると（ステップＳ１８０）、電子制御ユニット１６から受診した診断充電電圧バラツキΔＶｍｃｃｕと、サーバ５０から受信した寿命充電電圧バラツキΔＶｍｃｌｉや寿命距離Ｒｄｍａｘ，寿命時間Ｒｔｍａｘ，新品充電電圧バラツキΔＶｍｃｎｅｗと、を用いて、次式（１）により診断用バッテリ１２が寿命に到達するまでに自動車１０が走行可能な距離としての余寿命距離Ｒｄを計算すると共に式（２）により診断用バッテリ１２が寿命に到達するまでの時間としての余寿命時間Ｒｔを計算してこれらをディスプレイ３５に出力して（ステップＳ１９０）、本ルーチンを終了する。このように診断用バッテリ１２の余寿命距離Ｒｄや余寿命時間Ｒｔを計算することにより、各セルや各電池モジュールの製造誤差や使用による経年変化などを考慮して、診断用バッテリ１２の余寿命距離Ｒｄや余寿命時間Ｒｔをより適正に計算することができる。なお、バッテリの製造誤差などを考慮しない場合（バッテリが新品のときには各電池モジュールのモジュール電圧が同一であるとみなす場合）には、サーバ５０から新品充電電圧バラツキΔＶｍｃｎｅｗを受信する必要はなく、式（１）および式（２）において、新品充電電圧バラツキΔＶｍｃｎｅｗを値０とすればよい。
【００４０】
Rd=Rdmax-Rdmax・(ΔVmccu-ΔVmnew)/(ΔVmcli-ΔVmcnew)   (1)
Rt=Rtmax-Rtmax・(ΔVmccu-ΔVmnew)/(ΔVmcli-ΔVmcnew)   (2)
【００４１】
以上説明した実施例の余寿命診断システム２０によれば、寿命バッテリの使用状態と寿命実績（充電特性や放電特性，寿命距離Ｒｄｍａｘ，寿命時間Ｒｔｍａｘ）とを関連付けて寿命情報としてデータベース化して準備しておき、診断用バッテリ１２の余寿命を診断する際には、データベースのうち診断用バッテリ情報に対応する対応領域から寿命実績（寿命充電電圧バラツキΔＶｍｃｌｉなど）を取得し、第１充電シーケンス処理を診断用バッテリ１２に対して行なったときの診断充電電圧バラツキΔＶｍｃｃｕを取得し、取得した診断充電電圧バラツキΔＶｍｃｃｕと寿命充電電圧バラツキΔＶｍｃｌｉとの関係から診断用バッテリ１２の余寿命距離Ｒｄや余寿命時間Ｒｔを計算するから、診断用バッテリ１２の余寿命の診断をより適正に行なうことができる。しかも、短時間高速充電を複数回に亘って行なう第１充電シーケンスにより第１所定状態のバッテリを充電する第１充電シーケンス処理を診断用バッテリ１２に対して行なったときの診断充電電圧バラツキΔＶｍｃｃｕを用いて診断用バッテリ１２の余寿命距離Ｒｄや余寿命時間Ｒｔを計算するから、診断用バッテリ１２の余寿命の診断を比較的迅速に行なうことができる。
【００４２】
実施例の余寿命診断システム２０では、診断用バッテリ１２の余寿命距離Ｒｄや余寿命時間Ｒｔを計算する際に、サーバ５０のハードディスクドライブ５４に記憶されているデータベースのうち対応領域のデータとして寿命充電電圧バラツキΔＶｍｃｌｉおよび新品充電電圧バラツキΔＶｍｃｎｅｗを用いるものとしたが、第２寿命充電電圧Ｖｂｃｌｉ２および第２新品充電電圧Ｖｂｃｎｅｗ２の挙動を用いるものとしてもよいし、第３寿命充電電圧Ｖｂｃｌｉ３および第３新品充電電圧Ｖｂｃｎｅｗ３の挙動を用いるものとしてもよいし、寿命充電電流電圧特性ＩＶｃｌｉおよび新品充電電流電圧特性ＩＶｃｎｅｗを用いるものとしてもよいし、寿命放電電圧バラツキΔＶｍｄｌｉおよび新品放電電圧バラツキΔＶｍｄｎｅｗを用いるものとしてもよいし、第２寿命放電電圧Ｖｂｄｌｉ２および第２新品放電電圧Ｖｂｄｎｅｗ２の挙動を用いるものとしてもよいし、第３寿命放電電圧Ｖｂｄｌｉ３および第３新品放電電圧Ｖｂｄｎｅｗ３の挙動を用いるものとしてもよいし、寿命放電電流電圧特性ＩＶｄｌｉおよび新品放電電流電圧特性ＩＶｄｎｅｗを用いるものとしてもよい。以下、順に説明する。
【００４３】
第２寿命充電電圧Ｖｂｃｌｉ２および第２新品充電電圧Ｖｂｃｎｅｗ２の挙動を用いる場合、端末３０のＣＰＵ３１は、サーバ５０から第２寿命充電電圧Ｖｂｃｌｉ２の挙動や第２新品充電電圧Ｖｂｃｎｅｗ２の挙動，寿命距離Ｒｄｍａｘ，寿命時間Ｒｔｍａｘを受信し且つ準備処理が完了すると、第２充電シーケンス処理を診断用バッテリ１２に対して行なわせるための指示を充放電装置４０に送信すると共に第２充電シーケンス処理の実行時の診断用バッテリ１２の電圧（以下、第２診断充電電圧という）Ｖｂｃｃｕ２の挙動を取得させるための指示を電子制御ユニット１６に送信し、電子制御ユニット１６から第２診断充電電圧Ｖｂｃｃｕ２を受信すると、第２新品充電電圧Ｖｂｃｎｅｗ２の挙動と第２診断充電電圧Ｖｂｃｃｕ２の挙動と第２寿命充電電圧Ｖｂｃｌｉ２の挙動と寿命距離Ｒｄｍａｘと寿命時間Ｒｔｍａｘとを用いて診断用バッテリ１２の余寿命距離Ｒｄや余寿命時間Ｒｔを計算する。第２新品充電電圧Ｖｂｃｎｅｗ２の挙動と第２診断充電電圧Ｖｂｃｃｕ２の挙動と第２寿命充電電圧Ｖｂｃｌｉ２の挙動との一例を図１５に示す。この場合、例えば、所定回数目（例えば、２回目など）の高速充電の終了時間ｔｃｒｅｆの診断充電電圧Ｖｂｃｃｕ２と新品充電電圧Ｖｂｃｎｅｗ２との差としての診断充電電圧差ΔＶｂｃｃｕ（図１５参照）と、そのときの第２寿命充電電圧Ｖｂｃｌｉ２と新品充電電圧Ｖｂｃｎｅｗとの差としての寿命充電電圧差ΔＶｂｃｌｉ（図１５参照）と、寿命距離Ｒｄｍａｘと、寿命時間Ｒｔｍａｘと、を用いて次式（３）により診断用バッテリ１２の余寿命距離Ｒｄを計算すると共に式（４）により診断用バッテリ１２の余寿命時間Ｒｔを計算することができる。
【００４４】
Rd=Rdmax-Rdmax・ΔVbccu/ΔVbcli        (3)
Rt=Rtmax-Rtmax・ΔVbccu/ΔVbcli                (4)
【００４５】
第３寿命充電電圧Ｖｂｃｌｉ３および第３新品充電電圧Ｖｂｃｎｅｗ３の挙動を用いる場合、端末３０のＣＰＵ３１は、サーバ５０から第３寿命充電電圧Ｖｂｃｌｉ３の挙動や第３新品充電電圧Ｖｂｃｎｅｗ３の挙動，寿命距離Ｒｄｍａｘ，寿命時間Ｒｔｍａｘを受信し且つ準備処理が完了すると、第３充電シーケンス処理を診断用バッテリ１２に対して行なわせるための指示を充放電装置４０に送信すると共に第３充電シーケンス処理の実行時の診断用バッテリ１２の電圧（以下、第３診断充電電圧という）Ｖｂｃｃｕ３の挙動を取得させるための指示を電子制御ユニット１６に送信し、電子制御ユニット１６から第３診断充電電圧Ｖｂｃｃｕ３を受信すると、第３新品充電電圧Ｖｂｃｎｅｗ３の挙動と第３診断充電電圧Ｖｂｃｃｕ３の挙動と第３寿命充電電圧Ｖｂｃｌｉ３の挙動と寿命距離Ｒｄｍａｘと寿命時間Ｒｔｍａｘとを用いて診断用バッテリ１２の余寿命距離Ｒｄや余寿命時間Ｒｔを計算する。第３新品充電電圧Ｖｂｃｎｅｗ３の挙動と第３診断充電電圧Ｖｂｃｃｕ３の挙動と第３寿命充電電圧Ｖｂｃｌｉ３の挙動との一例を図１６に示す。この場合、例えば、第３充電シーケンス処理の開始から第３診断充電電圧Ｖｂｃｃｕ３が所定電圧Ｖｂｃｒｅｆに至るまでに要する時間と第３充電シーケンス処理の開始から第３新品充電電圧Ｖｂｃｎｅｗ３が所定電圧Ｖｂｃｒｅｆに至るまでに要する時間との差としての診断時刻差Δｔｃｃｕ（図１６参照）と、第３充電シーケンス処理の開始から第３寿命充電電圧Ｖｂｃｌｉ３が所定電圧Ｖｂｃｒｅｆに至るまでに要する時間と第３充電シーケンス処理の開始から新品充電電圧Ｖｂｃｎｅｗが所定電圧Ｖｂｃｒｅｆに至るまでに要する時間との差としての寿命時間差Δｔｃｌｉ（図１６参照）と、寿命距離Ｒｄｍａｘと、寿命時間Ｒｔｍａｘと、を用いて次式（５）により診断用バッテリ１２の余寿命距離Ｒｄを計算すると共に式（６）により診断用バッテリ１２の余寿命時間Ｒｔを計算することができる。
【００４６】
Rd=Rdmax-Rdmax・Δtccu/Δtcli          (5)
Rt=Rtmax-Rtmax・Δtccu/Δtcli          (6)
【００４７】
寿命充電電流電圧特性ＩＶｃｌｉおよび新品充電電流電圧特性ＩＶｃｎｅｗを用いる場合、端末３０のＣＰＵ３１は、サーバ５０から寿命充電電流電圧特性ＩＶｃｌｉや新品充電電流電圧特性ＩＶｃｎｅｗ，寿命距離Ｒｄｍａｘ，寿命時間Ｒｔｍａｘを受信し且つ準備処理が完了すると、第４充電シーケンス処理を診断用バッテリ１２に対して行なわせるための指示を充放電装置４０に送信すると共に第４充電シーケンス処理の実行時の診断用バッテリ１２の電流と電圧との関係（以下、診断充電電流電圧特性という）ＩＶｃｃｕの挙動を取得させるための指示を電子制御ユニット１６に送信し、電子制御ユニット１６から診断充電電流電圧特性ＩＶｃｃｕを受信すると、新品充電電流電圧特性ＩＶｃｎｅｗと診断充電電流電圧特性ＩＶｃｃｕと寿命充電電流電圧特性ＩＶｃｌｉと寿命距離Ｒｄｍａｘと寿命時間Ｒｔｍａｘとを用いて診断用バッテリ１２の余寿命距離Ｒｄや余寿命時間Ｒｔを計算する。新品充電電流電圧特性ＩＶｃｎｅｗと診断充電電流電圧特性ＩＶｃｃｕと寿命充電電流電圧特性ＩＶｃｌｉとの一例を図１７に示す。この場合、例えば、診断充電電流電圧特性ＩＶｃｃｕと新品充電電流電圧特性ＩＶｃｎｅｗとの傾向（例えば、電流の変化量に対する電圧の変化量）の差としての診断傾向差Δａｃｃｕ（図１７参照）と、寿命充電電流電圧特性ＩＶｃｌｉと新品充電電流電圧特性ＩＶｃｎｅｗとの傾向の差としての寿命傾向差Δａｃｌｉ（図１７参照）と、寿命距離Ｒｄｍａｘと、寿命時間Ｒｔｍａｘと、を用いて次式（７）により診断用バッテリ１２の余寿命距離Ｒｄを計算すると共に式（８）により診断用バッテリ１２の余寿命時間Ｒｔを計算することができる。
【００４８】
Rd=Rdmax-Rdmax・Δaccu/Δacli          (7)
Rt=Rtmax-Rtmax・Δaccu/Δacli          (8)
【００４９】
寿命放電電圧バラツキΔＶｍｄｌｉおよび新品放電電圧バラツキΔＶｍｄｎｅｗを用いる場合、端末３０のＣＰＵ３１は、サーバ５０から寿命放電電圧バラツキΔＶｍｄｌｉや新品放電電圧バラツキΔＶｍｄｎｅｗ，寿命距離Ｒｄｍａｘ，寿命時間Ｒｔｍａｘを受信し且つ準備処理が完了すると、第１放電シーケンス処理を診断用バッテリ１２に対して行なわせるための指示を充放電装置４０に送信すると共に第１放電シーケンス処理の実行時の診断用バッテリ１２のモジュール電圧Ｖｍ１〜Ｖｍｋの最大値と最小値との差としての診断放電電圧バラツキΔＶｍｄｃｕを取得させるための指示を電子制御ユニット１６に送信し、電子制御ユニット１６から診断放電電圧バラツキΔＶｍｄｃｕを受信すると、寿命放電電圧バラツキΔＶｍｄｌｉと新品放電電圧バラツキΔＶｍｄｎｅｗと寿命距離Ｒｄｍａｘと寿命時間Ｒｔｍａｘとを用いて、次式（９）により診断用バッテリ１２の余寿命距離Ｒｄを計算すると共に式（１０）により診断用バッテリ１２の余寿命時間Ｒｔを計算する。診断充電電圧バラツキΔＶｍｄｃｕと寿命放電電圧バラツキΔＶｍｄｌｉとの一例を図１８に示す。なお、バッテリの製造誤差などを考慮しない場合（バッテリが新品のときには各電池モジュールのモジュール電圧が同一であるとみなす場合）には、サーバ５０から新品放電電圧バラツキΔＶｍｄｎｅｗを受信する必要はなく、式（９）および式（１０）において、新品放電電圧バラツキΔＶｍｄｎｅｗを値０とすればよい。
【００５０】
Rd=Rdmax-Rdmax・(ΔVmdcu-ΔVmdnew)/(ΔVmdli-ΔVmdnew)  (9)
Rt=Rtmax-Rtmax・(ΔVmdcu-ΔVmdnew)/(ΔVmdli-ΔVmdnew)  (10)
【００５１】
第２寿命放電電圧Ｖｂｄｌｉ２および第２新品放電電圧Ｖｂｄｎｅｗ２の挙動を用いる場合、端末３０のＣＰＵ３１は、サーバ５０から第２寿命放電電圧Ｖｂｄｌｉ２の挙動や第２新品放電電圧Ｖｂｄｎｅｗ２の挙動，寿命距離Ｒｄｍａｘ，寿命時間Ｒｔｍａｘを受信し且つ準備処理が完了すると、第２放電シーケンス処理を診断用バッテリ１２に対して行なわせるための指示を充放電装置４０に送信すると共に第２放電シーケンス処理の実行時の診断用バッテリ１２の電圧（以下、第２診断放電電圧という）Ｖｂｃｃｕ２の挙動を取得させるための指示を電子制御ユニット１６に送信し、電子制御ユニット１６から第２診断放電電圧Ｖｂｄｃｕ２を受信すると、第２新品放電電圧Ｖｂｄｎｅｗ２の挙動と第２診断放電電圧Ｖｂｄｃｕ２の挙動と第２寿命放電電圧Ｖｂｄｌｉ２の挙動と寿命距離Ｒｄｍａｘと寿命時間Ｒｔｍａｘとを用いて診断用バッテリ１２の余寿命距離Ｒｄや余寿命時間Ｒｔを計算する。第２新品放電電圧Ｖｂｄｎｅｗ２の挙動と第２診断放電電圧Ｖｂｄｃｕ２の挙動と第２寿命放電電圧Ｖｂｄｌｉ２の挙動との一例を図１９に示す。この場合、例えば、所定回数目（例えば、２回目など）の高速放電の終了時間ｔｄｒｅｆの診断放電電圧Ｖｂｄｃｕと新品放電電圧Ｖｂｄｎｅｗとの差としての診断放電電圧差ΔＶｂｄｃｕ（図１９参照）と、そのときの寿命放電電圧Ｖｂｄｌｉと新品放電電圧Ｖｂｄｎｅｗとの差としての寿命放電電圧差ΔＶｂｄｌｉ（図１９参照）と、寿命距離Ｒｄｍａｘと、寿命時間Ｒｔｍａｘと、を用いて次式（１１）により診断用バッテリ１２の余寿命距離Ｒｄを計算すると共に式（１２）により診断用バッテリ１２の余寿命時間Ｒｔを計算することができる。
【００５２】
Rd=Rdmax-Rdmax・ΔVbdcu/ΔVbdli        (11)
Rt=Rtmax-Rtmax・ΔVbdcu/ΔVbdli        (12)
【００５３】
第３寿命放電電圧Ｖｂｄｌｉ３および第３新品放電電圧Ｖｂｄｎｅｗ３の挙動を用いる場合、端末３０のＣＰＵ３１は、サーバ５０から第３寿命放電電圧Ｖｂｄｌｉ３の挙動や第３新品放電電圧Ｖｂｄｎｅｗ３の挙動，寿命距離Ｒｄｍａｘ，寿命時間Ｒｔｍａｘを受信し且つ準備処理が完了すると、第３放電シーケンス処理を診断用バッテリ１２に対して行なわせるための指示を充放電装置４０に送信すると共に第３放電シーケンス処理の実行時の診断用バッテリ１２の電圧（以下、第３診断放電電圧という）Ｖｂｄｃｕ３の挙動を取得させるための指示を電子制御ユニット１６に送信し、電子制御ユニット１６から第３診断放電電圧Ｖｂｄｃｕ３を受信すると、第３新品放電電圧Ｖｂｄｎｅｗ３の挙動と第３診断放電電圧Ｖｂｄｃｕ３の挙動と第３寿命放電電圧Ｖｂｄｌｉ３の挙動と寿命距離Ｒｄｍａｘと寿命時間Ｒｔｍａｘとを用いて診断用バッテリ１２の余寿命距離Ｒｄや余寿命時間Ｒｔを計算する。第３新品放電電圧Ｖｂｄｎｅｗ３の挙動と第３診断放電電圧Ｖｂｄｃｕ３の挙動と第３寿命放電電圧Ｖｂｄｌｉ３の挙動との一例を図２０に示す。この場合、例えば、第３放電シーケンス処理の開始から第３診断放電電圧Ｖｂｄｃｕ３が所定電圧Ｖｂｄｒｅｆに至るまでに要する時間と第３放電シーケンス処理の開始から第３新品放電電圧Ｖｂｄｎｅｗ３が所定電圧Ｖｂｄｒｅｆに至るまでに要する時間との差としての診断時刻差Δｔｄｃｕ（図２０参照）と、第３放電シーケンス処理の開始から第３寿命放電電圧Ｖｂｄｌｉ３が所定電圧Ｖｂｄｒｅｆに至るまでに要する時間と第３放電シーケンス処理の開始から新品放電電圧Ｖｂｄｎｅｗが所定電圧Ｖｂｄｒｅｆに至るまでに要する時間との差としての寿命時間差Δｔｄｌｉ（図２０参照）と、寿命距離Ｒｄｍａｘと、寿命時間Ｒｔｍａｘと、を用いて次式（１３）により診断用バッテリ１２の余寿命距離Ｒｄを計算すると共に式（１４）により診断用バッテリ１２の余寿命時間Ｒｔを計算することができる。
【００５４】
Rd=Rdmax-Rdmax・Δtdcu/Δtdli          (13)
Rt=Rtmax-Rtmax・Δtdcu/Δtdli          (14)
【００５５】
寿命放電電流電圧特性ＩＶｄｌｉおよび新品放電電流電圧特性ＩＶｄｎｅｗを用いる場合、端末３０のＣＰＵ３１は、サーバ５０から寿命放電電流電圧特性ＩＶｄｌｉや新品放電電流電圧特性ＩＶｄｎｅｗ，寿命距離Ｒｄｍａｘ，寿命時間Ｒｔｍａｘを受信し且つ準備処理が完了すると、第４放電シーケンス処理を診断用バッテリ１２に対して行なわせるための指示を充放電装置４０に送信すると共に第４放電シーケンス処理の実行時の診断用バッテリ１２の電流と電圧との関係（以下、診断放電電流電圧特性という）ＩＶｄｃｕの挙動を取得させるための指示を電子制御ユニット１６に送信し、電子制御ユニット１６から診断放電電流電圧特性ＩＶｄｃｕを受信すると、新品放電電流電圧特性ＩＶｄｎｅｗと診断放電電流電圧特性ＩＶｄｃｕと寿命放電電流電圧特性ＩＶｄｌｉと寿命距離Ｒｄｍａｘと寿命時間Ｒｔｍａｘとを用いて診断用バッテリ１２の余寿命距離Ｒｄや余寿命時間Ｒｔを計算する。新品放電電流電圧特性ＩＶｄｎｅｗと診断放電電流電圧特性ＩＶｄｃｕと寿命放電電流電圧特性ＩＶｄｌｉとの一例を図２１に示す。この場合、例えば、診断放電電流電圧特性ＩＶｄｃｕと新品放電電流電圧特性ＩＶｄｎｅｗとの傾向（例えば、電流の変化量に対する電圧の変化量）の差としての診断傾向差Δａｄｃｕ（図２１参照）と、寿命放電電流電圧特性ＩＶｄｌｉと新品放電電流電圧特性ＩＶｄｎｅｗとの傾向の差としての寿命傾向差Δａｄｌｉ（図２１参照）と、寿命距離Ｒｄｍａｘと、寿命時間Ｒｔｍａｘと、を用いて次式（１５）により診断用バッテリ１２の余寿命距離Ｒｄを計算すると共に式（１６）により診断用バッテリ１２の余寿命時間Ｒｔを計算することができる。
【００５６】
Rd=Rdmax-Rdmax・Δadcu/Δadli          (15)
Rt=Rtmax-Rtmax・Δadcu/Δadli          (16)
【００５７】
以上、第２寿命充電電圧Ｖｂｃｌｉ２および第２新品充電電圧Ｖｂｃｎｅｗ２の挙動を用いて診断用バッテリ１２の余寿命距離Ｒｄや余寿命時間Ｒｔを計算する場合、第３寿命充電電圧Ｖｂｃｌｉ３および第３新品充電電圧Ｖｂｃｎｅｗ３の挙動を用いて診断用バッテリ１２の余寿命距離Ｒｄや余寿命時間Ｒｔを計算する場合、寿命充電電流電圧特性ＩＶｃｌｉおよび新品充電電流電圧特性ＩＶｃｎｅｗを用いて診断用バッテリ１２の余寿命距離Ｒｄや余寿命時間Ｒｔを計算する場合、寿命放電電圧バラツキΔＶｍｄｌｉおよび新品放電電圧バラツキΔＶｍｄｎｅｗを用いて診断用バッテリ１２の余寿命距離Ｒｄや余寿命時間Ｒｔを計算する場合、第２寿命放電電圧Ｖｂｄｌｉ２および第２新品放電電圧Ｖｂｄｎｅｗ２の挙動を用いて診断用バッテリ１２の余寿命距離Ｒｄや余寿命時間Ｒｔを計算する場合、第３寿命放電電圧Ｖｂｄｌｉ３および第３新品放電電圧Ｖｂｄｎｅｗ３の挙動を用いて診断用バッテリ１２の余寿命距離Ｒｄや余寿命時間Ｒｔを計算する場合、寿命放電電流電圧特性ＩＶｄｌｉおよび新品放電電流電圧特性ＩＶｄｎｅｗを用いて診断用バッテリ１２の余寿命距離Ｒｄや余寿命時間Ｒｔを計算する場合について、順に説明したが、これらの場合でも、実施例と同様に、各セルや各電池モジュールの製造誤差や使用による経年変化，これらの経年変化を含むバッテリ全体としての経年変化などを考慮して、診断用バッテリ１２の余寿命距離Ｒｄや余寿命時間Ｒｔをより適正に計算することができる。
【００５８】
実施例の余寿命診断システム２０では、サーバ５０は、検索した対応領域に寿命実績がないときには、空情報を端末３０に送信するものとしたが、検索した対応領域に寿命実績がないときでも、対応領域の周辺の領域である周辺領域（例えば、使用用途および走行履歴が同一であり使用地域が隣接する地域である領域など）に寿命実績があるときには、その周辺領域の寿命実績を端末３０に送信するものとしてもよい。こうすれば、診断用バッテリ１２の余寿命を計算可能な機会より確保することができる。
【００５９】
実施例の余寿命診断システム２０では、サーバ５０は、検索した対応領域に寿命実績がないときには、空情報を端末３０に送信するものとしたが、データベースの全ての領域の寿命実績を予め実験や解析などにより作成して記憶させておくものとしてもよい。こうすれば、サーバ５０から端末３０に空情報を送信することがなくなるから、診断用バッテリ１２の余寿命を計算可能な機会より確保することができる。
【００６０】
実施例の余寿命診断システム２０では、データベースの寿命バッテリや新品バッテリの充電特性や放電特性として、寿命充電電圧バラツキΔＶｍｃｌｉや、第２寿命充電電圧Ｖｂｃｌｉ２の挙動，第３寿命充電電圧Ｖｂｃｌｉ３の挙動，寿命充電電流電圧特性ＩＶｃｌｉ，新品充電電圧バラツキΔＶｍｃｎｅｗ，第２新品充電電圧Ｖｂｃｎｅｗ２の挙動，第３新品充電電圧Ｖｂｃｎｅｗ３の挙動，新品充電電流電圧特性ＩＶｃｎｅｗ，寿命放電電圧バラツキΔＶｍｄｌｉ，第２寿命放電電圧Ｖｂｄｌｉ２の挙動，第３寿命放電電圧Ｖｂｄｌｉ３の挙動，寿命放電電流電圧特性ＩＶｄｌｉ，新品放電電圧バラツキΔＶｍｄｎｅｗ，第２新品放電電圧Ｖｂｄｎｅｗ２の挙動，第３新品放電電圧Ｖｂｄｎｅｗ３の挙動，新品放電電流電圧特性ＩＶｄｎｅｗがサーバ５０のハードディスクドライブ５４に記憶されるものとしたが、これらの一部が記憶されないものとしてもよいし、これらに代えてまたは加えて、寿命バッテリや新品バッテリの他の充電特性や放電特性（例えば、寿命バッテリや新品バッテリの電圧（バッテリ全体としての電圧）の挙動に代えて寿命バッテリや新品バッテリの各電池モジュールのモジュール電圧や各セルのセル電圧の挙動など）がハードディスクドライブ５４に記憶されるものとしてもよい。なお、ハードディスクドライブ５４に記憶される診断用バッテリ１２の充電特性や放電特性の内容が実施例と異なる場合でも、ハードディスクドライブ５４に記憶されている寿命バッテリや新品バッテリの充電特性や放電特性に応じた充電シーケンス処理や放電シーケンス処理を選択して実行することにより、診断用バッテリ１２の充電特性や放電特性を取得することができ、診断用バッテリ１２の余寿命を診断することができる。
【００６１】
実施例の余寿命診断システム２０では、診断用バッテリ１２の余寿命距離Ｒｄと余寿命時間Ｒｔとを計算するものとしたが、いずれか一方だけを計算するものとしてもよい。
【００６２】
実施例の余寿命診断システム２０では、計算した診断用バッテリ１２の余寿命距離Ｒｄや余寿命時間Ｒｔをディスプレイ３５に出力するものとしたが、これに代えてまたは加えて、端末３０のハードディスクドライブ３４やサーバ５０のハードディスクドライブ５４などに記憶させるものとしてもよい。この場合、車種や使用状態などと関連付けてハードディスクドライブ３４やハードディスクドライブ５４に記憶させることが好ましい。
【００６３】
実施例の余寿命診断システム２０では、自動車１０に搭載された診断用バッテリ１２は、ｋ（ｋは２以上の整数）個の電池モジュールＭ１〜Ｍｋが直列に接続されたものとしたが、１個のモジュールにより構成されるものとしてもよい。この場合、余寿命距離Ｒｄや余寿命時間Ｒｔを計算する際には、バッテリの充電特性や放電特性のうちモジュール電圧のバラツキ（寿命充電電圧バラツキΔＶｍｃｌｉなど）以外の特性を用いればよい。
【００６４】
実施例の余寿命診断システム２０では、自動車１０に搭載されたバッテリ１２の余寿命を診断するものとしたが、過去に電気自動車やハイブリッド自動車などに搭載され現在は取り外されているバッテリ（以下、車載用バッテリという）などの余寿命を診断するものとしてもよい。こうすれば、新品でないが寿命には到達していない車載用バッテリを再利用することができる。
【００６５】
実施例の余寿命診断システム２０では、バッテリ１２を充放電させるために用いられる充放電装置４０を備えるものとしたが、これに代えて、バッテリ１２を充電させるために用いられる充電装置や、バッテリ１２を放電させるために用いられる放電装置などを備えるものとしてもよい。また、実施例では、自動車１０の外部に充放電装置４０を備えるものとしたが、自動車１０に搭載される機器、例えば、モータ１１や図示しない補機，自動車１０がエンジンやエンジンからの動力を用いて発電する発電機を有する場合におけるエンジンと発電機とを組み合わせたものなど、を充放電装置４０として機能させるものとしてもよい。
【００６６】
実施例の余寿命診断システム２０では、自動車１０の外部の端末３０により診断用バッテリ１２の余寿命を診断するものとしたが、自動車１０に搭載された電子制御ユニット１６を端末３０として機能させるものとしてもよい。電子制御ユニット１６を端末３０として機能させると共にモータ１１を充放電装置４０として機能させる場合の自動車１１０と余寿命診断システム１２０との構成の概略を示す構成図を図２２に示す。
【００６７】
実施例では、端末３０とサーバ５０と充放電装置４０とを備える余寿命診断システム２０について説明したが、端末３０とサーバ５０とが一つの装置として構成されるものとしてもよいし、端末３０と充放電装置４０とが一つの装置として構成されるものとしてもよいし、端末３０とサーバ５０と充放電装置４０とが一つの装置として構成されるものとしてもよい。
【００６８】
また、実施例では、余寿命診断システム２０として説明したが、診断用バッテリ１２の余寿命を診断する余寿命診断方法として用いるものとしてもよい。
【００６９】
実施例の主要な要素と課題を解決するための手段の欄に記載した発明の主要な要素との対応関係について説明する。本発明の第１の余寿命診断システムについては、実施例では、寿命バッテリの使用状態と寿命実績（充電特性や放電特性，寿命距離Ｒｄｍａｘ，寿命時間Ｒｔｍａｘ）とを関連付けた寿命情報や新品バッテリの充電特性や放電特性である新品情報をデータベースとして記憶するサーバ５０のハードディスクドライブ５４が「情報記憶手段」に相当し、電子制御ユニット１６から診断用バッテリ情報を取得する図１２の余寿命診断ルーチンのステップＳ１１０，Ｓ１２０の処理を実行すると共に電子制御ユニット１６から診断充電電圧バラツキΔＶｍｃｃｕを取得する図１２の余寿命診断ルーチンのステップＳ１７０，Ｓ１８０の処理を実行する端末３０が「情報取得手段」に相当し、サーバ５０からの寿命充電電圧バラツキΔＶｍｃｌｉや新品充電電圧バラツキΔＶｍｃｎｅｗと電子制御ユニット１６からの診断充電電圧バラツキΔＶｍｃｃｕとを用いて診断用バッテリ１２の余寿命距離Ｒｄや余寿命時間Ｒｔを計算する図１２の余寿命診断ルーチンのステップＳ１９０の処理を実行する端末３０が「診断手段」に相当する。本発明の第２の余寿命診断システムについては、実施例では、寿命バッテリの使用状態と寿命実績とを関連付けた寿命情報や新品バッテリの充電特性や放電特性である新品情報をデータベースとして記憶するサーバ５０のハードディスクドライブ５４が「情報記憶手段」に相当し、電子制御ユニット１６から診断用バッテリ情報を取得すると共に電子制御ユニット１６から診断放電電圧バラツキΔＶｍｃｃｕを取得する端末３０が「情報取得手段」に相当し、サーバ５０からの寿命放電電圧バラツキΔＶｍｄｌｉや新品放電電圧バラツキΔＶｍｄｎｅｗと電子制御ユニット１６からの診断放電電圧バラツキΔＶｍｄｃｕとを用いて診断用バッテリ１２の余寿命距離Ｒｄや余寿命時間Ｒｔを計算する端末３０が「診断手段」に相当する。
【００７０】
ここで、第１の余寿命診断システムにおいて、「情報記憶手段」としては、寿命バッテリの使用状態と寿命実績とを関連付けた寿命情報や新品バッテリの充電特性や放電特性である新品情報をデータベースとして記憶するサーバ５０のハードディスクドライブ５４に限定されるものではなく、寿命に到達したバッテリである寿命バッテリの使用状態と予め定められた所定の充電シーケンスにより寿命バッテリが充電されたときの寿命バッテリの充電特性である寿命充電特性とを関連付けて記憶するものであれば如何なるものとしても構わない。「情報取得手段」としては、電子制御ユニット１６から診断用バッテリ情報を取得すると共に電子制御ユニット１６から診断充電電圧バラツキΔＶｍｃｃｕを取得する端末３０に限定されるものではなく、診断用バッテリの使用状態と、所定の充電シーケンスにより診断用バッテリが充電されたときの診断用バッテリの充電特性である診断充電特性と、を取得するものであれば如何なるものとしても構わない。「診断手段」としては、サーバ５０からの寿命充電電圧バラツキΔＶｍｃｌｉや新品充電電圧バラツキΔＶｍｃｎｅｗと電子制御ユニット１６からの診断充電電圧バラツキΔＶｍｃｃｕとを用いて診断用バッテリ１２の余寿命距離Ｒｄや余寿命時間Ｒｔを計算する端末３０に限定されるものではなく、取得した診断充電特性と、情報記憶手段に記憶されている情報のうち診断用バッテリの使用状態に対応する寿命バッテリの使用状態に関連付けられた寿命充電特性である対応寿命充電特性と、の関係から診断用バッテリの余寿命を診断するものであれば如何なるものとしても構わない。
【００７１】
第２の余寿命診断システムにおいて、「情報記憶手段」としては、寿命バッテリの使用状態と寿命実績とを関連付けた寿命情報や新品バッテリの放電特性や放電特性である新品情報をデータベースとして記憶するサーバ５０のハードディスクドライブ５４に限定されるものではなく、寿命に到達したバッテリである寿命バッテリの使用状態と予め定められた所定の放電シーケンスにより寿命バッテリが放電されたときの寿命バッテリの放電特性である寿命放電特性とを関連付けて記憶するものであれば如何なるものとしても構わない。「情報取得手段」としては、電子制御ユニット１６から診断用バッテリ情報を取得すると共に電子制御ユニット１６から診断放電電圧バラツキΔＶｍｄｃｕを取得する端末３０に限定されるものではなく、診断用バッテリの使用状態と、所定の放電シーケンスにより診断用バッテリが放電されたときの診断用バッテリの放電特性である診断放電特性と、を取得するものであれば如何なるものとしても構わない。「診断手段」としては、サーバ５０からの寿命放電電圧バラツキΔＶｍｄｌｉや新品放電電圧バラツキΔＶｍｄｎｅｗと電子制御ユニット１６からの診断放電電圧バラツキΔＶｍｄｃｕとを用いて診断用バッテリ１２の余寿命距離Ｒｄや余寿命時間Ｒｔを計算する端末３０に限定されるものではなく、取得した診断放電特性と、情報記憶手段に記憶されている情報のうち診断用バッテリの使用状態に対応する寿命バッテリの使用状態に関連付けられた寿命放電特性である対応寿命放電特性と、の関係から診断用バッテリの余寿命を診断するものであれば如何なるものとしても構わない。
【００７２】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００７３】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００７４】
本発明は、自動車産業などに利用可能である。
【符号の説明】
【００７５】
１０，１１０  自動車、１１  モータ、１２  バッテリ（診断用バッテリ）、１３ａ  電圧センサ、１３ｂ  電流センサ、１４  車両側コネクタ、１６  電子制御ユニット、２０，１２０  余寿命診断システム、２２  ネットワーク、３０  端末、３１  ＣＰＵ、３２  ＲＯＭ、３３  ＲＡＭ、３４  ハードディスクドライブ、３５  ディスプレイ、３６  キーボード、３７  マウス、４０  充放電装置、４２  装置側コネクタ、５０  サーバ、５１  ＣＰＵ、５２  ＲＡＭ、５３  ＲＯＭ、５４  ハードディスクドライブ、Ｍ１〜Ｍｋ  電池モジュール、Ｓ１〜Ｓｋ  電圧センサ。
【図１】
2011064571.tif 000003
【図２】
2011064571.tif 000004
【図３】
2011064571.tif 000005
【図４】
2011064571.tif 000006
【図５】
2011064571.tif 000007
【図６】
2011064571.tif 000008
【図７】
2011064571.tif 000009
【図８】
2011064571.tif 000010
【図９】
2011064571.tif 000011
【図１０】
2011064571.tif 000012
【図１１】
2011064571.tif 000013
【図１２】
2011064571.tif 000014
【図１３】
2011064571.tif 000015
【図１４】
2011064571.tif 000016
【図１５】
2011064571.tif 000017
【図１６】
2011064571.tif 000018
【図１７】
2011064571.tif 000019
【図１８】
2011064571.tif 000020
【図１９】
2011064571.tif 000021
【図２０】
2011064571.tif 000022
【図２１】
2011064571.tif 000023
【図２２】
2011064571.tif 000024